(57)【要約】【課題】ドアハンドル等に利用可能な発光棒状体の提供。すなわち、暗がりを照らして視認性をよくしたり、安全を確保したりするのに用いられるような発光棒状体であって、離れた部位を照らすのに充分な光を得られるとともに、棒状の形態に基づく別の機能を得ることができるようにすること。【解決手段】棒状をなす本体部１２の一部に、長さ方向に沿って溝部１２ａが形成されるとともに、該溝部１２ａに、一部の面１３ａを露出する棒状の導光材１３が収納され、上記一部の面１３ａと反対側の反射面１３ｂには、導光材１３の長さ方向と交わる方向に延びる複数本の切り込み溝３１が導光材１３の長さ方向に間隔３２を隔てて配置され、上記本体部１２の端部には、導光材１３の端面に対向する光源５１と、該光源５１を点灯するための電源５２および制御回路５３を内蔵する取付け部１４が備えられた発光棒状体１１。【選択図】図１５
2007188651.tif 000002
【特許請求の範囲】
【請求項１】
棒状をなす本体部の一部に、長さ方向に沿って溝部が形成されるとともに、
該溝部に、一部の面を露出する棒状の導光材が収納され、
上記一部の面と反対側の反射面には、導光材の長さ方向と交わる方向に延びる複数本の切り込み溝が導光材の長さ方向に間隔を隔てて配置され、
上記本体部の端部には、導光材の端面に対向する光源と、該光源を点灯するための電源および制御回路を内蔵する取付け部が備えられた
発光棒状体。
【請求項２】
前記反射面が、切り込み溝を導光材の長さ方向と交わる方向に隙間をあけて直線的に間欠配置して形成された
請求項１に記載の発光棒状体。
【請求項３】
前記導光材の反射面と溝部との間に、導光材が溝部に収納された時に圧縮されて変形し導光材を弾力的に支持する弾性支持材が介装された
請求項１または請求項２に記載の発光棒状体。
【請求項４】
前記取付け部に、接近した人間を検知する人感センサが内蔵された
請求項１から請求項３のうちのいずれか一項に記載の発光棒状体。
【請求項５】
請求項１から請求項４のうちのいずれか一項に記載の発光棒状体を用いて形成された
ドアハンドル。
【請求項６】
前記取付け部が、ドアに対しての取付けを行うブラケットである
請求項５に記載のドアハンドル。
【発明の詳細な説明】
【技術分野】
【０００１】
この発明は、たとえば暗がりを照らして視認性をよくしたり、安全を確保したりするのに用いられるような発光棒状体、およびこれを用いた物品に関する。
【背景技術】
【０００２】
発光する棒状体としては、照明用光源であるが、下記特許文献１に記載のものが提案されている。これは、発光ダイオードと丸棒状の導光棒とからなり、導光棒の背部側の外周部には、等大の円錐状凹部からなる光輝反射部が各端から中央に向かって徐々に狭くなる間隔をおいて列設されている。上記発光ダイオードは、導光棒の各端に隣接して設置される。
【０００３】
すなわち、２個の発光ダイオードで発生した光線を導光棒の各端に通して各光輝反射部で反射させて、光輝反射部と対向する他側の外周部から放射させ、被照明物品を照明する。
【０００４】
しかし、この特許文献１の技術は、導光棒が発光ダイオードからの光を受けてそれ自体が照明として機能するものであって、その棒状の形態に基づく別の機能を有しない。
【０００５】
また、発光ダイオードが導光棒の両端（各端）に必要であるとともに、導光棒の長さが長くなると長さ方向の導光作用が弱化し、発光作用の均一性が失われる（特開平１１−２７３４３５号公報の段落番号［０００４］参照）という難点もある。
【０００６】
一方で、発光するだけではなく、その形態に基づいてある機能を得られるようにしたものが提案されている。たとえば、下記特許文献２、３である。
【０００７】
特許文献２の技術は、ドアの取っ手であって、柱状の取っ手本体と、この取っ手本体の両端部に取付けられドア本体の所定位置に固着される取付金具とからなる。取っ手本体はその全体を合成樹脂等で形成され、内部に気泡が封入されるとともに、取付金具には、取っ手本体に光を照射する光源と、暗くなった時に光源を点灯させる光センサユニットが内蔵されている。
【０００８】
このドアの取っ手によれば、取っ手全体を照らすことができ、取っ手自体や鍵穴が見やすくなるという効果を有するが、取っ手本体の全体が透明な合成樹脂等で形成されているため、冷たい印象があるとともに、意匠的にもドアと対応がとりにくい場合が多々ある。
【０００９】
また、木材や金属等で形成されたものに比して強度が低下するおそれがある。軽いドアの取っ手であればさしたる問題ではないかもしれないが、重いドアのドアハンドルやその他の物品、たとえば体重のような大きな荷重がかかる手摺などには使用できない。
【００１０】
特許文献３は、発光する手摺についての技術である。この発光手摺装置は、手摺部材とエンドブラケットとを有し、手摺部材には長手方向に沿って凹溝が形成されて、この凹溝内に発光体が敷設されている。そして、上記発光体を発光させるための人検知センサまたは光センサと、電源および電気回路が備えられる。
【００１１】
この発光手摺装置によれば、手摺部材を有するので、特許文献２のように強度の点で問題になることはなく、その外観も室内の内装にあわせて所望の状態にすることができる利点がある。
【００１２】
しかし、発光体は線状のエレクトロルミネセンス発光体（以下、ＥＬ発光体という。）または発光ダイオードを使用するので、足元などを充分に照明するような光が必ずしも得られるとは限らない。
【００１３】
すなわち、発光ダイオードは、それを敷設しただけでは照明に使えるほど明るく光らない。一方、ＥＬ発光体は、発光ダイオードを普通に用いた場合に比して明るい光が得られ、はっきりと光を認識できるようにすることができるものの、それでもその光は、発光体の存在を示す程度であって、足元などの離れた部位を照明するような光にはなり得ない。
【００１４】
また、ＥＬ発光体を使用する場合には、あらかじめ定められた長さのものしか使用できず、手摺を設置する現場において、その情況に応じて対応することはむつかしい。この手摺では、ＥＬ発光体が発光するための電源等をエンドブラケットに内蔵して取付けの簡単化が図られているが、その効果が減殺されてしまう。
【００１５】
【特許文献１】特開平１０−２５５５３２号公報
【特許文献２】実開平４−１０５３８４号公報
【特許文献３】特開２００４−１４３９２４号公報
【発明の開示】
【発明が解決しようとする課題】
【００１６】
そこで、この発明は、離れた部位を照らすのに充分な光を得られるとともに、棒状の形態に基づく別の機能を得ることもでき、汎用性の高い発光棒状体を得ることを主たる課題とする。
【課題を解決するための手段】
【００１７】
そのための手段は、棒状をなす本体部の一部に、長さ方向に沿って溝部が形成されるとともに、該溝部に、一部の面を露出する棒状の導光材が収納され、上記一部の面と反対側の反射面には、導光材の長さ方向と交わる方向に延びる複数本の切り込み溝が導光材の長さ方向に間隔を隔てて配置され、上記本体部の端部には、導光材の端面に対向する光源と、該光源を点灯するための電源および制御回路を内蔵する取付け部が備えられた発光棒状体である。
【００１８】
上記本体部の一部とは、一箇所という意味ではなく、複数箇所も含む意味である。また、上記一部の面とは、導光材の長さ方向における全部のほか、その一部も含む意味である。
【００１９】
上記構成によれば、取付け部に内蔵された電源と制御回路とにより発光する光源からの光は、本体部の長さ方向に沿って延びる溝部に収納された導光材の端部から入り、導光材の長さ方向（導光方向）に進むにつれて、次々に反射面の切り込み溝によって反射され、導光材の一部の面、すなわち出射面から放出される。このとき、入射した光は、導光材内を全反射しながら進んでゆく。そして光はそのうちに、切り込み溝に当たって向きを変え、全反射角よりも小さくなった光が出射面から出射する。切り込み溝は、導光材の長さ方向と交わる方向に延びるものであるので、通る光をある程度まとめて反射屈折させる。反射屈折させられた光は、外側面から出射させられるとともに、導光材内をさらに進む。
【００２０】
また、切り込み溝同士の間には間隔が設けられているので、切り込み溝に当たらなかった光の成分は、少しも減衰することなく導光方向後段の別の切り込み溝に当たって反射屈折させられる。一度切り込み溝に当たった光の成分でも、一部は透過し、導光方向後段の別の切り込み溝に当たって、同様に反射屈折させられる。導光方向後段の切り込み溝に対しては、全反射しながら進む光の成分と既に別の切り込み溝を透過した光の成分とが当たり、外側面から出射させられるとともに、導光材内をさらに進む。
【００２１】
このため、光源の光を、その進む方向とは直角の方向に対して、効率よく出射できる。この結果、長い導光材であってもムラのない高輝度の光を得ることができ、離れた部位を照らす照明として作用し得る。
【００２２】
しかも、導光材は、棒状をなす本体部に収納されており、発光するのは導光材の部分のみである。このため、外観において導光材を目立たないようにすることもできて、所望の外観を得られ、発光棒状体を取付ける部位にふさわしい統一の取れた外観にすることができる。そのうえ、本体部を有するので、所望の強度を得ることができ、たとえばドアハンドルや手摺、クローゼット内の吊棒、棚、カーテンレール、工事現場等で用いられるバリケード用のバーなど、荷重のかかる部位に使用することが可能な発光棒状体とすることができる。
【００２３】
また、取付け部は、光源等を隠蔽して保護するとともに、適宜固定に利用されたり、外観の向上に利用されたりする。
【００２４】
ここで、上記各構成要素については、次のような態様に構成することができる。  
その態様の一つは、上記導光材の反射面と溝部との間に、導光材が溝部に収納された時に圧縮されて変形し導光材を弾力的に支持する弾性支持材が介装されたものである。
【００２５】
すなわち、溝部に収納された導光材は、弾性支持材によって弾力的に支持されるため、導光材を収納する際に必要なクリアランスを埋めることができ、本体部との一体性が高まる。このため、発光棒状体が動いた時にガタガタ音がするようなことはなく、１本の棒状体として良好に使用できる。
【００２６】
なお、この場合、導光材の反射面での光の反射性を良好にするため、弾性支持材は白色や銀色などの光反射性のよい色に設定されるのが好ましい。溝部の内面に塗装や貼り付けなどの加工を施す必要もなくなり、加工の手間が省ける。
【００２７】
また、導光材の反射面と弾性支持材との間に水分が入ると光の反射性に影響が出るおそれがあるので、導光材における反射面と接する部分を、線状の突条で形成して導光材を収納した時に空間部が形成されるようにするとともに、空間部の底面である弾性支持材の反射面側の面には、長さ方向に沿ったガイド溝を形成するのが好ましい。
【００２８】
態様の他の一つは、上記反射面が、切り込み溝を導光材の長さ方向と交わる方向に隙間をあけて直線的に間欠配置して形成されたものである。  
すなわち、切り込み溝に対して真っ直ぐに入ってくる光の成分のすべてを、切り込み溝で反射屈折してしまわずに、一部をより遠くまで飛ばして、光の利用効率を良くすることができる。
【００２９】
光の利用効率を良くするためには、たとえば、上記切り込み溝のうち導光方向で隣に位置する切り込み溝同士の、導光材の長さ方向（導光方向）と交わる方向での位置が、非同一に設定されたり、また、切り込み溝のうち、隣に位置する切り込み溝同士の深さが、異なるように設定されたり、さらには、切り込み溝が、導光材の端部から真っ直ぐに入る光が臨界角より小さい角で当たる傾斜面を有するように形成されたりしたものであるもよい。
【００３０】
態様の他の一つは、上記取付け部に、接近した人間を検知する人感センサが内蔵されたものである。  
すなわち、人感センサが存在するので、たとえば暗がりの中でも人が近づけば点灯状態を得ることができる。また、人感センサは取付け部に内蔵されているので、本体部の機能を阻害するようなことはなく、棒状体としての所望の機能を発揮できる。
【００３１】
別の手段は、上記発光棒状体を用いて形成されたドアハンドルである。  
この場合、上記取付け部がドアに対しての取付けを行うブラケットであるとよい。部品点数の低減と構造の簡素化を図ることができる。
【発明の効果】
【００３２】
以上のように、この発明によれば、光源から導光材に入った光を、切り込み溝を有する特異な構造の導光材内で反射させて出射させるので、離れた部位を照らすのに充分な光を得られる。このため、単にその存在を認識させる程度の光ではなく、光の当たった部位を明るくする程度に光らせることができる。
【００３３】
しかも、導光材は照明に必要な部分のみを露出した状態で本体部材内に収納されている。また、光源等は取付け部に収められている。このため、外観や周囲との調和を所望のものとすることができるとともに、棒状の形態が有する、たとえば荷重支持、動力伝達、連結などの様々な機能を得ることができる。この結果、さまざまな場面で使用できる汎用性の高い発光棒状体となる。
【００３４】
また、この発明のドアハンドルによれば、ドアとの調和を図りながらドアハンドル自体や鍵穴の位置を明示したり、装飾効果を発揮したりすることができる。
【発明を実施するための最良の形態】
【００３５】
この発明を実施するための一形態を、以下図面に基づいて詳述する。  
図１は、発光棒状体１１の構造を示す説明図であり、この図に示すように、棒状の本体部材１２と、該本体部材１２内に、一部の面を露出した状態で収納された導光材１３と、上記本体部材１２の両端部に備えられた取付け部材１４，１５とを有する。上記各部の形状は、発光棒状体１１の目的によって異なるので、まず一例として、本体部材１２と取付け部材１４が丸棒状をなす発光棒状体１１の構成および作用効果について説明してから、次に具体的な使用例について説明する。
【００３６】
上記本体部材１２は、図２に示したような断面円形の丸棒形状で、木材やアルミの押し出し、硬質合成樹脂などの適宜の材料で形成される。中実でなく中空であるもよい。
【００３７】
そして、この本体部材１２の周面の一部には、その長さ方向の全体にわたって凹字状の溝部１２ａが形成されている。この溝部１２ａは、上記導光材１３を収納するためのものである。
【００３８】
上記導光材１３は、たとえばアクリルなどの透明の合成樹脂で形成された中実の角材形状である。具体的には、本体部材１２と同一の長さに形成され、その断面形状は、図２に示したように、断面略長方形状で、全ての面に鏡面加工が施されている。そして、本体部材１２に取付けられたときに外側に露出する出射面１３ａ（上記一部の面）とは反対側の内側面に、図３に示したよな多数の切り込み溝３１が間隔３２を隔てて配設されて、反射面１３ｂが形成される。なお、長さ方向の両端面のうち一方が、図１、図２に示したように光源としての発光ダイオード５１と対向して光が入ってくる入射面１３ｃである。
【００３９】
上記切り込み溝３１は、導光材１３内を透過または全反射する光の成分を反射屈折させて、出射面１３ａから出射されせるためのもので、たとえば、図４、図５に示したように、Ｖ字状に形成される。
【００４０】
切り込み溝３１は、導光方向、すなわち図示例の導光材１３は棒状であるので、その長さ方向を横切る方向に延びるように形成される。
【００４１】
そして、その配列は様々考えられるが、図３に示した如く導光方向に間隔３２を隔てるとともに、導光方向を横切る方向に隙間３３をあけて形成するのが好ましい。
【００４２】
切り込み溝３１を導光方向で間隔３２を隔てて形成すると、全反射して進んできた光の成分を次々と切り込み溝３１で反射屈折させてしまわずに、全反射して導光方向に進む光の割合を多くすることができる。また、切り込み溝３１に当たって反射屈折した光の成分のうち、全反射せずに透過した光の成分が後段の切り込み溝においてすぐに減衰させられることを抑制することができる。
【００４３】
切り込み溝３１を、導光方向を横切る方向で隙間３３をあけて形成、換言すれば切り込み溝３１を直線的に間欠配置すると、切り込み溝３１に対して入射面１３ｃから真っ直ぐに入ってくる光の成分のすべてを、反射面１３ｂで反射屈折してしまわずに、一部をより遠くまで飛ばして、光の利用効率を良くすることができる。
【００４４】
導光方向を横切る方向での配置に際しては、図３、図４に示したように、導光方向で隣に位置する切り込み溝３１同士の、導光方向を横切る方向での位置を非同一にする。すなわち、切り込み溝３１と隙間３３のパターンを、導光方向を横切る方向でずらすのが好ましい。このように切り込み溝３１と隙間３３のパターンをずらすことによって、一度切り込み溝３１に当たって反射屈折させられた光の成分が著しく減衰させられずに、全反射してくる光の成分と一緒になって、更に導光材１３内を進むことができる（図６、図７参照）。
【００４５】
また、切り込み溝３１は、上述の如く図５に示したようにＶ字状に形成され、その傾斜面３４の角度は、入射面１３ｃから直角に入る光が導光材１３の材料であるアクリルの臨界角（４２．２度）よりも小さい角度θで当たるように設定するのが好ましい。このように形成すると、切り込み溝３１の傾斜面３４に当たる光は全反射せずに一部の光成分は屈折して透過する。そして、反射屈折しながら後端に位置する切り込み溝３１に当たる。
【００４６】
すなわち、切り込み溝３１に当たった光の成分が全て反射させられ、出射させられるのではなく、図７に示したように一部の光成分は後段の切り込み溝３１へ向けて透過し、さらに反射屈折する。この反射屈折時には、導光材１３内を全反射してくる光の成分も加わり、光の著しい減衰は起こらない。
【００４７】
上述のような切り込み溝３１は、周知のレーザ加工で形成できる。
【００４８】
なお、切り込み溝３１の断面形状は、その他の形状、たとえばＵ字状等であるもよく、どのような形状にしても、入射面１３ｃから直角に入る光が導光材１３の材料であるアクリルの臨界角よりも小さい角度で当たる角度の傾斜面３４を有するとよい。
【００４９】
また、図８に示したように、切り込み溝３１の深さを、切り込み溝３１ごとに異ならせるもよい。導光方向を横切る方向に隣に位置する切り込み溝３１のパターンがたとえ同一であっても、後段側の切り込み溝３１が前段側の切り込み溝３１よりも深ければ、後段側の切り込み溝３１でも充分に光の反射屈折が行え、光の減衰を抑制できる。
【００５０】
さらに、上述の導光方向を横切る方向とは、直角のみを意味するものではなく、たとえば図９（ａ）に示したように傾斜していてもよく、図９（ｂ）に示したように、導光方向を横切る方向に延びる切り込み溝３１は、一直線状に並ぶものでなくともよい。
【００５１】
切り込み溝３１が外部から見えないように隠蔽し、出射面１３ａから出射される光を和らげようとする場合には、図１０に示したように出射面１３ａにサンドブラスト等により拡散面３５を形成するとよい。サンドブラストで拡散面３５を直接形成するほか、シートを貼着して形成することもできる。
【００５２】
また、上記入射面１３ｃと反対側の面には、ステンレス等からなる端面反射シート３６が貼着されている。この端面反射シート３６は、上記のようにしてあたった光の成分を入射面１３ｃ側に反射させて、上記のような反射屈折を更に行わせる。これによって、使用する発光ダイオードの数を抑えることができるとともに、導光材内を通る光の利用効率を高めることができる。
【００５３】
上述のような構成の導光材１３は、上記本体部材１２の溝部１２ａに対して出射面１３ａを露出した状態で収納される。出射面１３ａは、本体部材１２の外表面と同一か、それよりも若干下がるように収納される。そして、本体部材１２の両端部に上記取付け部材１４，１５が取付けられる。
【００５４】
取付け部材１４，１５は、発光棒状体１１の目的に応じた適宜の形状に形成される。そして、これら取付け部材１４，１５のうちの一方（取付け部材１４）の内部には、図１１の電源制御ブロック図に示したように、上記発光ダイオード５１と、電源としての電池５２と、制御回路５３と、接近する人間を検知するための人感センサ５４と、電池５２の残量電力が所定値以下か否かを判定するバッテリチェックのための、バッテリチェック回路５５・チェック用スイッチ５６・チェック用発光ダイオード５７を搭載した基板５８が収納される（図２参照）。
【００５５】
上記人感センサ５４には、赤外線センサ、超音波センサ、光電センサなど適宜のものが使用できるが、人間から放射される遠赤外線を受けることで動作する焦電型モーションセンサを使用するとよい。取付け部材１４における人感センサ５４収納部位に対応する部位は、遠赤外線を透過可能な合成樹脂等で形成され、その色は、必ずしも透明である必要はないが、たとえば白色などのような薄い色が好ましい。
【００５６】
人感センサ５４および発光ダイオード５１は、電池５２からの電力で駆動する制御回路５４に接続される。この制御回路５４には、ワンショット回路（タイマなどでもよい）が備えられ、検知信号がＯＦＦになってから所定時間経過するまで発光ダイオード５１を点灯するように制御されている。
【００５７】
すなわち、人感センサ５４が、接近する人間を一度検知すると、人間を検知しなくなった時から所定時間経過するまで、発光ダイオード５１を点灯する。上記所定時間は、たとえば発光棒状体１１を一般家庭の玄関ドアのドアハンドルとする場合には、１０秒から３０秒ほどでよい。また、所定時間は、切換スイッチによって適宜切換変更できるように構成するもよい。
【００５８】
また、電池５２は、周知のバッテリチェック回路５５と接続され、このバッテリチェック回路５５は、チェック用スイッチ５６のＯＮ・ＯＦＦ切換により駆動し、電池５２の電圧が所定値以下であればチェック用発光ダイオード５７を点灯するように制御されている。
【００５９】
他方の取付け部材１５は、一方の取付け部材１４と同様に、発光棒状体１１の目的に応じた適宜の形状に形成され、その内部には、上記いずれの部材も不要である。
【００６０】
ただし、本体部材１２の長さが長く、長さ方向の一方の端で人間を検知するように構成したときで、発光棒状体１１の明かりが必要であるのに消えてしまうなどの不都合がある場合には、上記他方の取付け部材１５にも人感センサ５４や基板５８などの必要な部材を収納し、両端の取付け部材１４，１５同士を、本体部材１２内を通して電気的に接続する。
【００６１】
発光棒状体１１を複数本の本体部材１２で構成する場合も同様で、図１２に示したように、本体部材１２間に位置する中間取付け部材１６を設け、本体部材１２の両端に位置する取付け部材１４，１４に発光ダイオード５１と人感センサ５４を内蔵し、導光材１３における中間取付け部材１６側の端面に、上記端面反射シート３６を貼着するとよい。
【００６２】
もちろん、上記端面反射シート３６を用いずに、導光材１３の両端面を入射面１３ｃとすべく構成して、より明るい照明が可能となるようにするもよい。
【００６３】
以上のように構成された発光棒状体１１では、人間が接近することによって自動的に発光ダイオード５１がひかり、その光が導光材１３を通って出射され、出射方向を照らす。そして、人間が発光棒状体１１から離れれば、発光ダイオード５１は所定時間経過後自動的に消灯する。
【００６４】
このように、人感センサ５４が人間を検知することにより自動的に点灯・消灯が行われるので、必要な時以外には点灯しないようにすることができ、省エネが図れるとともに、使用する発光ダイオード５１も１本の発光棒状体１１に対して１個でよく、きわめて経済的である。
【００６５】
また、電池５２などの必要な部材はすべて取付け部材１４内に収納されているので、施工が簡単であるとともに、美麗な外観を得ることもできる。
【００６６】
そして、発光ダイオード５１の光を導いて出射面１３ａから放つ導光材１３が上述のように構成されているので、その明るさには、従来発光ダイオードを用いて発光するように構成されたものとは異なる、際立ったものがある。
【００６７】
すなわち、導光材１３では、入射面１３ｃから入射した光は、導光材１３内を全反射しながら進んでゆく。そして光は、そのうちに切り込み溝３１に当たって向きを変え、全反射角よりも小さくなった光が出射面１３ａから出射する。
【００６８】
光を反射屈折させる切り込み溝３１は、導光方向を横切る方向に延びるものであるので、図６に丸印で示したように、通る光をある程度まとめて反射屈折させる。そして反射屈折させられた光は、一部の成分は出射面１３ａから出射させられるとともに、残りの成分は導光材１３内を反射屈折してさらに進む。
【００６９】
出射面１３ａから出射される光は、ある程度まとまるので、切り込み溝３１が粗面をなすドットや円錐状凹部である場合に比して、比較的強い光が得られる。
【００７０】
また、切り込み溝３１同士の間には間隔３２と隙間３３を設けているので、切り込み溝３１に当たらなかった光の成分は、全反射して導光方向の後段に進み、何ら減衰することなく別の切り込み溝３１に当たって反射屈折させられる。
【００７１】
一度切り込み溝３１に当たった光の成分でも、切り込み溝３１の傾斜面３４の角度を上述のように臨界角を考慮して設定したので、一部は透過し、導光方向後段の別の切り込み溝３１に当たって、同様に反射屈折させられる。導光方向後段の切り込み溝３１に対しては、全反射しながら進む光の成分と既に別の切り込み溝３１を透過した光の成分とが当たり、出射面１３ａから出射させられるとともに、導光材１３内をさらに進む。
【００７２】
このように、入射面１３ｃから入射した光は、導光材１３内を全反射しながら進んでゆく過程で、反射面１３ｂにおける導光方向を横切る複数本の切り込み溝３１で、切り込み溝３１ごとにある程度まとめて断続的に反射屈折させられ、出射面から出射させられ、また導光材１３内をさらに進む。しかも、切り込み溝３１同士の間には間隔３２や隙間３３を設けているので、入射した光がすぐさま立て続けに散乱反射させられて著しく減衰することはなく、導光方向後段にも充分に光が届く。
【００７３】
このため、光の利用効率が高く、導光材１３が長くてもムラのない高輝度の光を得ることができ、離れた部位を照らす照明として使用できる。
【００７４】
しかも、導光材１３は、棒状をなす本体部材１２の溝部１２ａ内に収納されており、発光するのは導光材１３の部分のみである。このため、外観上、導光材１３を目立たないようにすることもできて、所望の外観を得られ、発光棒状体１１を使用する部位にふさわしい統一の取れた外観にすることができる。そのうえ、本体部材１２を有するので、所望の強度を得ることができ、荷重のかかる部位に使用することが可能な発光棒状体１１とすることが可能である。
【００７５】
なお、前述の如く本体部材１２は、適宜中空や中実に形成されるものであるが、導光材１３の収納は、たとえば図１３に示したように弾性支持材１７を介装して行うとよい。
【００７６】
図１３（ａ）は、本体部材１２をアルミの押し出しで形成した中空状のものの例で、（ｂ）は中実の場合の例を示す。
【００７７】
前者の場合、（ａ）に示したように本体部材１２には、内側ほど幅広の溝部１２ａが形成され、該溝部１２ａの開口縁には、内側に張り出す抜け止め縁１２ｂ，１２ｂが形成されている。
【００７８】
一方、導光材１３の反射面１３ｂ側には、幅方向外側に張り出す段部１３ｄ，１３ｄが形成され、溝部１２ａ内に収納された時に、この段部１３ｄが上記抜け止め縁１２ｂに内側から係止するように設定されている。
【００７９】
また、上記溝部１２ａの底面には、凹溝１２ｃが形成され、この凹溝１２ｃに上記弾性支持材１７が取付けられる。
【００８０】
弾性支持材１７は、ナイロン等の適宜の柔軟な合成樹脂で形成され、少なくとも反射面１３ｂ側の面は、白色や銀色などの光反射性のよい色に設定されている。そして、その形状は、上記凹溝１２ｃに嵌合する嵌入突起１７ａを基板１７ｂの裏面に有するとともに、基板１７ｂの裏面における幅方向の両側位置には、反射面１３ｂに押圧されて変形させられ、導光材１３を弾力的に支持する２本の支持突起１７ｃ，１７ｃが形成される。
【００８１】
また、これら支持突起１７ｃ，１７ｃの間の部分は、導光材１３を収納した時に反射面１３ｂとの間に空間部１８が形成されるように低く形成されるとともに、その底面の中央に、長さ方向に沿って長い１本の凸条１７ｄが形成されている。
【００８２】
なお、図中１７ｅは、基板１７ｂを弾力的に支持するとともに水分がたまるのを抑制する支持突起である。また、図中１９は、本体部材１２の表面を装飾等するために取付けられる化粧部材であって、不要ならば省略することもできる。
【００８３】
本体部材１２が中実の場合も、本体部材１２の形状が異なるだけで同様に構成できる。すなわち、（ｂ）に示したように、本体部材１２に内側ほど幅広となるアリ溝状の溝部１２ａが形成されるとともに、その溝部１２ａの底面に凹溝１２ｃが形成される。そして、上述の構成を有する弾性支持材１７が凹溝１２ｃに取付けられる。
【００８４】
上記のように弾性支持材１７を介装すると、溝部１２ａに収納された導光材１３は弾力的に支持されるため、導光材１３を収納する際に必要なクリアランスを埋めることができ、本体部材１２との一体性が高まる。このため、発光棒状体１１が動いた時にガタガタ音がするようなことはなく、１本の棒状体として良好に使用できる。
【００８５】
また、弾性支持材１７の色は光反射性のよい色に設定されているので、溝部１２ａの内面に塗装や貼り付けなどの加工を施さずとも、導光材１３の反射面１３ｂでの光の反射性を良好にすることができる。このため、加工の手間を省け、生産効率が良好になる。
【００８６】
さらに、反射面１３ｂと弾性支持材１７との間に空間部１８が形成されので、たとえ導光材１３の反射面１３ｂと弾性支持材１７との間に水分が入っても、その空間部１８の存在により、シミのように水分の痕ができたりすることを阻止できる。また、ガイド溝１７ｄも形成されているので水はけが良好であって、この点からも光の反射性を良好に保つことができる。
【００８７】
以上のような効果を得られる発光棒状体１１の使用例をつぎに説明する。なお、構成の説明は、上記説明におけるものと同一の符号を付して、簡単に行う。
【００８８】
（使用例１）  
図１４、図１５、図１６は、上記発光棒状体１１を玄関用のドア６１のドアハンドル６２に適用した例を示す。すなわち、ドアハンドル６２は、全体の長さがたとえば３００mm〜５００mm程度に形成されるが、その中間部分が導光材１３を収納した本体部材１２で構成され、一端部が、発光ダイオード５１、電池５２、人感センサ５４等の必要部材を内蔵した取付け部材１４で構成され、他端部がそれらを内蔵しない取付け部材１５で構成される。一端部の取付け部材１４は、必要部材を収納するケーシングの役割を果たすとともに、ドア６１に対する取付けを行うブラケットの役割を果たす。他端部の取付け部材１５は、ドア６１に対する取付けを行うブラケットの役割を果たす。
【００８９】
上記本体部材１２は、図示例では断面円形に図示したが、所望の外観を得るように、その断面形状や表面形状を適宜設定できる。
【００９０】
図１５が、ドアハンドル６２の長さ方向の中間部における横断面図であり、この図に示すように、本体部材１２における導光材１３の収納位置は適宜設定される。（ａ）に示したように、ドア６１側に向けるほか、（ｂ）に示したように、ドア６１に対して真っ直ぐではなく一方側、好ましくはドア６１の開放側端部に向けることもできる。また、（ｃ）のように、本体部材１２における左右両側に２本の導光材１３を収納することもできる。この場合には、２個の発光ダイオードを導光材１３に対応させて収納する。
【００９１】
これらの例のように、導光材１３が正面側から見えないようにすることで、ドア６１に凝らされた意匠感を減殺しないで、外観の良好さを保つことができる。もちろん、導光材１３が正面から見えるようにすることもできる。
【００９２】
図１６は、ドアハンドル６２の側面図である。上記の通り、２個の取付け部材１４，１５のうち一方１４のみに発光ダイオード５１と人感センサ５４が収納されるが、（ａ）のように、導光材１３における反発光ダイオード５１側の端面全体に端面反射シート３６を取付けると、前述したように、発光ダイオード５１の使用数量を抑え、光の有効利用を図ることができる。また、（ｂ）のように、上記端面反射シート３６の中央に、光が透過する透過孔３６ａを形成しておくとともに、取付け部材１５における対応部位に光が通過する孔部１５ａを形成してさらに必要に応じて凹レンズ１５ｂを備えておけば、その先に光を導出させることができる。ドア６１の鍵穴６３にその先を向ければ、暗い中でも容易に鍵を開けることができるようになる。
【００９３】
鍵穴６３を照明するためには、上記発光ダイオード５１とは別に設けた光源で行うこともできる。すなわち、取付け部材１５内に光源５９を内蔵するとともに、該光源５９の周囲を透光性の材料からなるカバー部材１５ａで隠蔽する。
【００９４】
このように構成されたドアハンドル６２によれば、ドア６１に対して人間が近づくことによって発光ダイオード５１が自動的に点灯し、ドアハンドル６２とその近傍を照らす。このため、たとえ外灯がない場合でも、また不測に切れてしまっている場合でも、ドアハンドル６２自体や鍵穴６３の位置を明示することができるほか、装飾効果を得ることもできる。また、本体部材１２を有しているので、ドア６１が重い場合でも、充分な強度を得ることができる。
【００９５】
なお、ドアとしては玄関用のドア６１に限らず、たとえば、病院、倉庫等の各種建物の外部および内部の適宜ドアに使用できるとともに、そのドアのタイプも引き戸等であるもよい。
【００９６】
（使用例２）  
図１７、図１８は、上記発光棒状体１１をクローゼット７１の吊棒７２に適用した例を示す。すなわち、吊棒７２はクローゼット７１の幅に合わせて適宜長さに形成されるが、その中間部分のハンガ等が吊り下げられる部分が導光材１３を収納した本体部材１２で構成され、一端部が、発光ダイオード５１、電池５２、人感センサ５４等の必要部材を内蔵した取付け部材１４で構成され、他端部がそれらを内蔵しない取付け部材１５で構成される。一端部の取付け部材１４は、必要部材を収納するケーシングの役割を果たすとともに、クローゼット７１の内壁面７１ａに対する取付けを行うブラケットの役割を果たす。他端部の取付け部材１５は、クローゼット７１の内壁面７１ａに対する取付けを行うブラケットの役割を果たす。
【００９７】
図１８（ａ）は、吊棒７２を下から見た図であり、この図に示すように導光材は、本体部材１２における下面に出射面１３ａを露出するように収納される。このため、吊棒７２の中間部における縦断面図である（ｂ）に仮想線で示したように、吊り下げられるハンガのフック７３は、本体部材１２のみに当たる。そして、導光材１３からの光はハンガに掛けられた衣服類の方向に向かって照射される。
【００９８】
このように構成された吊棒７２によれば、暗い室内においても、クローゼット７１の扉を開けるだけで、人感センサ５４の検知に基づいて吊棒７２の下側から光が照射される。このため、室内の電気をつけなくとも、クローゼット７１内の衣服を見ることができ、必要な衣服を間違えずに即座に取り出すことができる。また、ハンガの荷重は、本体部材１２が支えるので、充分な強度を得られる。
【００９９】
なお、クローゼットは、ウォークインクローゼットであるもよい。また、発光棒状体１１は、クローゼット内やその他の箇所における棚などにも適用することができる。
【０１００】
（使用例３）  
図１９（ａ）は、上記発光棒状体１１を棒状のカーテンレール８１に適用した例である。すなわち、カーテンレール８１は、取付け位置にあわせて適宜長さに形成されるが、その中間部分におけるリングランナ８２を挿嵌する部分が導光材１３を収納した本体部材１２で構成され、一端部が、発光ダイオード５１、電池５２、人感センサ５４等の必要部材を内蔵した取付け部材１４で構成され、他端部がそれらを内蔵しない取付け部材１５で構成されている。一端部の取付け部材１４は、必要部材を収納するケーシングの役割を果たすとともに、本体部材１２の端部を装飾するエンドキャップの役割を果たす。他端部の取付け部材１５は本体部材１２の端部を装飾するエンドキャップの役割を果たす。
【０１０１】
図１９（ｂ）は、カーテンレール８１の端部の拡大図である。この図に示すように、導光材１３は本体部材１２の下面側に収納されている。
【０１０２】
このため、暗い室内において人感センサ５４が人間を検知して発光ダイオード５１が点灯すると、光はカーテンレール８１の下方に向かって放射され、その部分が明るくなる。この結果、たとえば人感センサ５４の検知レベルを人間が室内のドアを開けた時に検知できるように設定しておけば、人間が室内のドアを開けたときに、室内の端である窓際を照らすことができ、室内の電灯を点けるまでもなく室内のありさまを瞬時に認識することができる。室内電灯のスイッチの位置を認識することができるとともに、帰宅時において、室内が平穏であったことの確認ができて暗闇からも開放されて、安心感が得られるという効果も有する。また、カーテン８３の荷重は、本体部材１２が支えるので、カーテンレール８１として充分な強度を得られる。
【０１０３】
（使用例４）
図２０（ａ）は、上記発光棒状体１１を工事現場等で使用されるバリケード用のコーンバー９１に適用した例である。すなわち、コーンバー９１は、離間して設置されるコーン９２，９２の上端部に受け渡すように取付けられるものであり、適宜長さに形成されるが、その中間部分における浸入規制とサイン機能を果たす部分が導光材１３を収納した本体部材１２で構成され、一端部が、発光ダイオード５１、電池５２、人感センサ５４等の必要部材を内蔵した取付け部材１４で構成され、他端部がそれらを内蔵しない取付け部材１５で構成される。各取付け部材１４，１５は、端部に環状の環状部９３を有し、一端部の取付け部材１４は必要部材を収納するケーシングの役割を果たすとともに、コーン９２の上端部に対して取付ける取付け部としての役割を果たす。他端部の取付け部材１５はコーン９２の上端部に対して取付ける取付け部としての役割を果たす。
【０１０４】
図２０（ｂ）は、コーンバー９１の端部を正面側から見た拡大図である。この図に示すように、導光材１３は本体部材１２の正面側に収納されている。また、本体部１２の外周面には、注意を促す黄色と黒色の表示模様が付されている。
【０１０５】
このため、暗い屋外等において人感センサ５４が人間を検知して発光ダイオード５１が点灯すると、光はコーンバー９１から人間が近づいてきた方向である正面側に向かって放射され、その部分が明るくなる。この結果、暗い夜間において人間が不用意に近づいたときに、そこが立ち入り禁止などとして規制された場所であることを知らせることができる。車両のようにライトを持たないで歩行する人間にとって、バリケード等に不測に衝突してしまうようなことを阻止でき、安全性を確保できる。また、コーンバー９１は、導光材１３だけではなく本体部材１２を有するので、所望の強度を得ることができるとともに上記表示模様の存在のため、コーンバーとしての機能を確実に得ることができる。
【０１０６】
なお、導光材１３は、正面側のみではなく背面側にも設けるとよく、表示模様も、「立ち入り禁止」などの文字等を含むものであるもよい。この場合には、本体部材１２に形成された溝部１２ａの内側にも表示模様を付しておけば、認識可能な表示にできる。また、発光棒状体１１は、コーンバーのほか、たとえばバリケード用のパイプ等に適用することもできる。
【０１０７】
この発明の構成と、上記一形態の構成との対応において、  
この発明の本体部は、上記一形態の構成の本体部１２に対応し、  
以下同様に、  
一部の面は、出射面１３ａに対応し、  
取付け部は、取付け部材１４に対応し、  
光源は、発光ダイオード５１に対応し、  
電源は、電池５２に対応するも、  
この発明は上記一形態の構成のみに限定されるものではなく、その他の形態を採用することができる。
【０１０８】
たとえば、電源には商用電源を使用するもよく、また主電源のＯＮ・ＯＦＦスイッチを備えて不要時にＯＦＦ切換できるようにするもよい。  
また、本体部は、断面円形以外の様々な形態であるもよい。
【０１０９】
さらに、点灯は、点滅により行わせるもよい。上記使用例４のように注意を喚起する場合には、効果的である。
【０１１０】
発光棒状体の使用例も、上記のものに限定されず、たとえば工事現場、交通整理等で用いられるハンディータイプのリフレクターライトや侵入防止用や案内用の手摺状の棒状体などにも使用できる。
【図面の簡単な説明】
【０１１１】
【図１】発光棒状体の構造を示す説明図。
【図２】発光棒状体の要部構造を示す説明図。
【図３】導光材の要部平面図。
【図４】導光材の要部断面図。
【図５】導光材の要部の拡大断面図。
【図６】導光材の作用状態の説明図。
【図７】導光材の作用状態の説明図。
【図８】導光材の他の例を示す断面図。
【図９】導光材の他の例を示す平面図。
【図１０】導光材の他の例を示す断面図。
【図１１】制御ブロック図。
【図１２】発光棒状体の他の構造を示す説明図。
【図１３】本体部の断面図。
【図１４】発光棒状体をドアハンドルに用いた場合の正面図。
【図１５】ドアハンドルの横断面図。
【図１６】ドアハンドルの側面図。
【図１７】発光棒状体を吊棒に用いた場合に斜視図。
【図１８】吊棒の構造を示す説明図。
【図１９】発光棒状体をカーテンレールに用いた場合の説明図。
【図２０】発光棒状体をコーンバーに用いた場合の説明図。
【符号の説明】
【０１１２】
１１…発光棒状体
１２…本体部材
１２ａ…溝部
１３…導光材
１３ａ…出射面
１３ｂ…反射面
１４…取付け部材
１７…弾性支持材
３１…切り込み溝
３２…間隔
３３…隙間
５１…発光ダイオード
５２…電池
５３…制御回路
５４…人感センサ
６２…ドアハンドル
７２…吊棒
８１…カーテンレール
９１…コーンバー
【図１】
2007188651.tif 000003
【図２】
2007188651.tif 000004
【図３】
2007188651.tif 000005
【図４】
2007188651.tif 000006
【図５】
2007188651.tif 000007
【図６】
2007188651.tif 000008
【図７】
2007188651.tif 000009
【図８】
2007188651.tif 000010
【図９】
2007188651.tif 000011
【図１０】
2007188651.tif 000012
【図１１】
2007188651.tif 000013
【図１２】
2007188651.tif 000014
【図１３】
2007188651.tif 000015
【図１４】
2007188651.tif 000016
【図１５】
2007188651.tif 000017
【図１６】
2007188651.tif 000018
【図１７】
2007188651.tif 000019
【図１８】
2007188651.tif 000020
【図１９】
2007188651.tif 000021
【図２０】
2007188651.tif 000022